(57)【要約】【課題】簡単に取り付け、取り外しができ、かつ、取付時には、屋外から施錠装置のサムターンを不正に操作して解錠することを防止すると共に、屋内からは容易に施錠、解錠操作を可能にする。【解決手段】本発明は、圧入することにより該サムターン摘み部と一体に固定されるリング本体と、バネと、リング本体の軸方向外周を覆う略円筒形状のカバー本体とを備えている。カバー本体がバネにより付勢された位置にあるとき、リング本体に対してカバー本体が空回り状態にあり、外部からの不正な操作が防止される。カバー本体を引っ張って移動させた軸方向の所定位置において、リング本体に対してカバー本体が一体にのみ回転するよう両者は係合し、この状態において、カバー本体を回転させることによりそれと一体に係合したリング本体を、そしてさらに、それに圧入固定されたサムターン摘み部を回転させて操作する。【選択図】      図３
2004285612.tif 000002
【特許請求の範囲】
【請求項１】
開閉体に取り付けられた施錠装置のサムターン摘み部を開閉体外部から不正に操作することによる解錠を防止するためのサムターン不正操作防止カバーにおいて、
サムターン摘み部を圧入することにより該サムターン摘み部と一体に固定されるリング本体と、
バネと、
前記リング本体の軸方向外周を覆う略円筒形状のカバー本体とを備え、
前記バネを前記リング本体と前記カバー本体との間で軸方向に作用させることにより前記カバー本体を前記開閉体側に付勢し、かつ、このカバー本体がバネにより付勢された位置にあるとき、前記リング本体に対して前記カバー本体が空回り状態にあり、
前記バネの作用に抗して前記カバー本体を移動させた軸方向の所定位置において、前記リング本体に対して前記カバー本体が一体にのみ回転するよう両者を係合させる手段を有し、この係合した状態において、前記カバー本体を回転させることによりそれと一体に係合した前記リング本体を、そしてさらに、それに圧入固定されたサムターン摘み部を回転させて、操作する、
ことから成るサムターン不正操作防止カバー。
【請求項２】
前記リング本体に対して前記カバー本体を係合させる手段は、両者それぞれに歯車部を設け、これを噛み合わせたものである請求項１に記載のサムターン不正操作防止カバー。
【請求項３】
前記サムターン摘み部を圧入させるためのリング本体の圧入部は、前記カバー本体に備えられた一対の弾性を有する挟持体から成る請求項１に記載のサムターン不正操作防止カバー。
【請求項４】
前記リング本体には、圧入側と反対側に蓋部を設けた請求項１に記載のサムターン不正操作防止カバー。
【請求項５】
前記リング本体を、合成樹脂によって一体成形した請求項１に記載のサムターン不正操作防止カバー。
【発明の詳細な説明】
【０００１】
【発明の属する技術分野】
本発明は、開閉体に取り付けられた施錠装置のサムターン摘み部を開閉体外部から不正に操作することによる解錠を防止するためのサムターン不正操作防止カバーに関する。
【０００２】
【従来の技術】
マンションや住宅の玄関扉等の開閉体に取り付けられてそれを施錠、解錠するサムターン付きの施錠装置は、屋外側に鍵穴を有するシリンダー錠を露出すると共に、屋内側に回転操作される回転式のサムターンを露出させている。屋外側からは、合鍵（キー）を鍵穴に挿入して回転操作することにより玄関扉等の施解錠を行うことができると共に、屋内側からは、合鍵を用いることなく、サムターンを回転操作するのみで、施解錠を行うことが可能となっている。図５に、従来から用いられているサムターンの一例を示している。
【０００３】
近年、新聞報道などによれば、このような施錠装置を不正に操作して解錠するいわゆるピッキングによる被害が多発している。種々のピッキング方法が明らかになっているが、その中の１つに、屋内側に位置するサムターンを屋外側から不正に操作することが知られている。これは、施錠装置に隣接した位置において、玄関扉に孔をドリルで開けたりする等して、屋外側から、この孔に先端を鉤状に曲げた針金或いは金属棒を挿入し、この鉤状先端によってサムターンを掛止して操作するものである。
【０００４】
従来、サムターンにカバーを取り付け、屋外側からの不正なサムターンの操作を防止することが知られている（特許文献１参照）。この技術は、開閉可能の蓋を設けたカバーを、サムターンを覆い隠すように、両面接着手段や接着剤などを用いて、或いはネジ、ボルトなどを用いて、扉内面に取り付けたものである。屋内からは、カバーに設けた蓋を開放することにより容易にサムターンを操作することを可能にしつつ、屋外から不正に挿入される針金等は、サムターンを覆うカバーがあるために、容易にサムターンに掛止することができない。これによって、屋外からの不正な解錠操作を防止することができる。
【０００５】
しかし、従来のものは、取り付けるのに多少なりとも時間を要し、場合によっては、専門業者に依頼することで費用がかかるという難点がある。カバーの扉への取り付けが容易であるとは言い難かった。完成し既に取り付けられている扉に、熟練していない者が美観上美しく接着剤を塗布したり、ネジ取り付けのための穴を開けることは、それなりの技術を必要とする。また、賃貸住宅などの場合のように、現状復帰させる必要が生じた場合に、一旦取り付けられたカバーを取り外すことは容易なことではない。
【０００６】
【特許文献１】
特開２００３−５６２１８号公報
【０００７】
【発明が解決しようとする課題】
本発明は、係る問題点を解決して、簡単に取り付け、取り外しができ、かつ、取付時には、屋外から施錠装置のサムターンを不正に操作して解錠することを防止すると共に、屋内からは容易に施錠、解錠操作ができるようにしたサムターン不正操作防止カバーを提供することを目的としている。
【０００８】
【課題を解決するための手段】
本発明のサムターン不正操作防止カバーは、玄関扉等の開閉体に取り付けられた施錠装置のサムターン摘み部を開閉体外部から不正に操作することによる解錠を防止するためのものであり、サムターン摘み部を圧入することにより該サムターン摘み部と一体に固定されるリング本体と、バネと、リング本体の軸方向外周を覆う略円筒形状のカバー本体とを備えている。バネをリング本体とカバー本体との間で軸方向に作用させることにより、カバー本体を開閉体側に付勢し、かつ、このカバー本体がバネにより付勢された位置にあるとき、リング本体に対してカバー本体が空回り状態にある。リング本体を覆うカバー本体が空回りすることにより、外部からの不正な操作が防止される。バネの作用に抗してカバー本体を引っ張って移動させた軸方向の所定位置において、リング本体に対してカバー本体が一体にのみ回転するよう両者を係合させる手段を有し、この係合した状態において、カバー本体を回転させることによりそれと一体に係合したリング本体を、そしてさらに、それに圧入固定されたサムターン摘み部を回転させて、操作する。
【０００９】
【発明の実施の形態】
以下、本発明を例示に基づき説明する。本発明のサムターン不正操作防止カバーは、玄関扉等の開閉体に取り付けられている施錠装置のサムターン摘み部に圧入係合するリング本体と、バネによって扉側に付勢されるカバー本体とによって構成される。なお、サムターン摘み部は、通常、それが水平状態にあるときは施錠状態であり、垂直状態に回転させることにより解錠することができるものであるが、図５に例示したように、通常板状に構成されている。この板状部分をリング本体の圧入部に圧入することにより一体に固定される。
【００１０】
図１は、リング本体の構成を例示する図であり、このリング本体を、サムターン圧入側から見た図を（Ａ）に示し、かつ、図中Ｘ−Ｘ方向に見た断面図を（Ｂ）に示している。例示のように、このリング本体は、略円筒形状の外形を有し、その内部には、サムターン摘み部を圧入して固定する圧入部が形成されている。この圧入部は、サムターン摘み部の両側から挟持して固定する一対の挟持体をリング本体内部に備えることによって構成されている。さらに、サムターン摘み部が圧入する側には、圧入を容易にするため、若干相互の間隔を広くした一対の圧入ガイドを一対の挟持体のそれぞれに備えている。また、このリング本体には、圧入側と反対側に蓋部が設けられる。この蓋部は、圧入されたサムターン摘み部のストッパーとしても機能する。また、この蓋部は、サムターン摘み部に対して圧入させるために、手の親指等を押し当てて力を加える部分でもある。
【００１１】
リング本体は、好ましくは、合成樹脂（例えば、プラスチック材ポリカーボネート）によって一対の挟持体及び一対の圧入ガイドと共に一体成形される。さらに、蓋体についても、合成樹脂によって一体成形することができるが、別に成形した後嵌合させることも可能である。圧入部を構成する一対の挟持体は、サムターン摘み部を挟持して固定するだけの弾力を有するものであれば、合成樹脂に限らず、例えばステンレスなどの金属製とすることも可能である。
【００１２】
リング本体の外周面には、図１（Ｂ）に示すように、後述するカバー本体の歯車部に係合する歯車部が形成されている。また、これら両歯車部が係合できるように軸方向に位置決めするのに役立つ段差２と、リング本体とカバー本体との間に挿入されるバネを係合させる係合部として機能する段差１とが備えられている。なお、リング本体に対してカバー本体が軸方向の所定の位置関係にあるとき、固定されているリング本体に対してカバー本体を一体に係合させて、一体でのみ回転させるために（要するに、両者の相対的な回転を阻止するために）、例示したように、両歯車部の噛み合いを利用している。但し、このように所定の軸方向位置で両者を一体に係合させることができ、かつ、それ以外の軸方向位置でその係合を解放させることができるものであれば、必ずしも歯車に限定されるものではない。例えば、例示のように、円周の全体に等間隔の歯車を設ける必要は必ずしもなく、一方に少なくとも１つの突起を設け、他方にそれが嵌合する凹部を設けることにより、両者を一体に係合させることが可能である。
【００１３】
図２は、カバー本体の構成を例示する図であり、略円筒形状を有するこのカバー本体を、軸方向に見た図を（Ａ）に示し、かつ、図中Ｙ−Ｙ方向に見た断面図を（Ｂ）に示している。なお、軸方向とは、円筒形状の中心軸方向を意味する用語として用いている。同じ中心軸の周りに、カバー本体だけでなく、多重リング状のバネ及びリング本体も位置決めされる。カバー本体の軸方向長さは、圧入状態のリング本体とサムターン摘み部の対応する長さよりも長くして、それを十分に覆い隠すだけの長さにする必要がある。
【００１４】
例示のように、カバー本体は、リング本体の歯車部に係合する歯車部が設けられている。カバー本体の外表面は、操作するに際して手が滑らず容易に把持できるように、波形形状などの凹凸が形成されている。カバー本体は、合成樹脂製とすることがコスト的に望ましいが、また、金属のような他の材料を用いることが可能である。
【００１５】
図３は、リング本体と、バネと、カバー本体とから構成される本発明のサムターン不正操作防止カバーの取付前の状態を示す図である。図４は、本発明のサムターン不正操作防止カバーを、サムターン摘み部に圧入してそれを操作することについて説明する図であり、概略断面図を（Ａ）に示し、サムターン操作時における図中Ｚ部の詳細図を（Ｂ）に、かつ、非操作時におけるＺ部の詳細図を（Ｃ）に示している。例示のバネは、リング本体の外周側とカバー本体の内周側に位置する径を有するように、弾性を有する金属線を多重リング状に折り曲げて構成している。
【００１６】
本発明のサムターン不正操作防止カバーは、サムターン摘み部に取り付ける前においては、リング本体と、バネと、カバー本体とは必ずしも一体に結合したり、固定する必要は無く、通常は、図３に例示されるように、別体の状態にある。これらを、サムターン摘み部に取り付けることにより、一体に組み立てられる。
【００１７】
図３に配置した位置関係にして、カバー本体の中にバネを挿入し、そのバネをリング本体のバネ係合部（図１（Ｂ）に示す段差１）で抑えつつ、リング本体を扉側（サムターン側）に押しつけて、リング本体の圧入部に、サムターン摘み部を圧入させる。これによって、本発明のサムターン不正操作防止カバーのサムターン摘み部への取付、固定の全てが完了する。
【００１８】
リング本体には、上述したように、サムターン摘み部が圧入され、それによって固定される。この状態で、リング本体を回転させるならば、それに固定されたサムターン摘み部を回転させることができる。バネは、軸方向には、リング本体の係合部と、カバー本体の係合部（カバー本体に設けた歯車部の軸方向扉反対側面）の間に位置決めされる（図４参照）。また、バネは、径方向には、図４に例示するように、カバー本体内周側と、リング本体の小径部外周側との間に位置している。リング本体の大径部は、カバー本体の内径よりもわずかに小さな径を有していて、カバー本体の内部に挿入可能に構成されている。
【００１９】
非操作時に、バネは伸張してカバー本体を軸方向扉側に付勢している（図４（Ａ）、（Ｃ）参照）。この非操作時に、カバー本体はバネによって軸方向扉側に付勢されるが、その移動は、通常リング状のサムターン台座等によって規制される。しかし、カバー本体の回転は何ら規制されていない。要するに、カバー本体を回転させることができるが、これを回転させても、空回りの状態であり、リング本体は回転しない。
【００２０】
この非操作状態では、リング本体は、カバー本体の内側にある（図４（Ａ）参照）。このとき、扉外部から上述したような不正な手段で、器具を用いてサムターン摘み部或いはそれに固定されているリング本体を操作しようとしても、カバー本体がそれらを覆っているために、操作することができない。外部から操作することができるのは、カバー本体のみであるが、これを回転させても、空回りするのみで、リング本体を回転させることはできない。
【００２１】
屋内側から、施錠、解錠するための操作は、カバー本体を軸方向扉反対側に引っ張りつつ、回転させることのみである。これによって、リング本体に圧入、固定されているサムターン摘み部を回転させることができる。カバー本体を軸方向扉反対側に引っ張ったときに、図４（Ｂ）に示すように、カバー本体に設けた係合部（歯車部の軸方向反対側面であって、バネ一端の係合部でもある）が、リング本体に設けた係合部（図１（Ｂ）に例示の段差２）に係合して、軸方向扉反対側への移動は規制される。この移動が規制された軸方向所定位置において、カバー本体に設けた歯車部とリング本体に設けた歯車部が噛み合った状態にある。即ち、この状態で、カバー本体を回転させると、リング本体が回転することになる。
【００２２】
本発明のサムターン不正操作防止カバーの取り外しは、カバー本体を軸方向扉反対側に強く引っ張るのみである。上述したように、操作時には、カバー本体を軸方向扉反対側に引っ張り、カバー本体に設けた係合部を、リング本体に設けた係合部に係合させた状態で回転させるが、この係合状態からさらに強くカバー本体を引っ張ることにより、圧入により固定されているリング本体を取り外すことができる。取り外した後に、接着剤とかネジ穴とかの何らの痕跡も残さず、極めて簡単に取り外すことができる。
【００２３】
【発明の効果】
本発明のサムターン不正操作防止カバーは、取り付け、取り外しを容易に行うことができ、かつ、手で引き回した時だけ施錠・解錠の操作ができ、手を離すことによりバネの力でもとの位置まで戻り、から回り効果によって、確実に不正な操作を防ぐことができる。
【００２４】
また、本発明は、取り付け、取り外しに際して、何らの部品や工具を必要とせずにワンタッチで行うことができるので、取り付ける作業に対し専門業者に技術料を支払うという出費を無くし、或いは賃貸住宅等に対して必要となる現状復帰を容易に可能にすることができる。
【図面の簡単な説明】
【図１】リング本体の構成を例示する図であり、このリング本体を、サムターン圧入側から見た図を（Ａ）に示し、かつ、図中Ｘ−Ｘ方向に見た断面図を（Ｂ）に示している。
【図２】カバー本体の構成を例示する図であり、略円筒形状を有するこのカバー本体を、軸方向に見た図を（Ａ）に示し、かつ、図中Ｙ−Ｙ方向に見た断面図を（Ｂ）に示している。
【図３】リング本体と、バネと、カバー本体とから構成される本発明のサムターン不正操作防止カバーの取付前の状態を示す図である。
【図４】本発明のサムターン不正操作防止カバーを、サムターン摘み部に圧入してそれを操作することについて説明する図であり、概略断面図を（Ａ）に示し、サムターン操作時における図中Ｚ部の詳細図を（Ｂ）に、かつ、非操作時におけるＺ部の詳細図を（Ｃ）に示している。
【図５】従来から用いられているサムターンの一例を示す図である。
【図１】
2004285612.tif 000003
【図２】
2004285612.tif 000004
【図３】
2004285612.tif 000005
【図４】
2004285612.tif 000006
【図５】
2004285612.tif 000007